(57)【特許請求の範囲】
【請求項１】
着用者の上半身を覆う上着本体（１）と、該上着本体（２）の内側に延出し且つ着用者の胴部（２０）に周回させて裾側からの風の侵入を防止できる帯状の内裾片（４）とを備えてなり、しかも、前記上着本体（１）の内側には、前記内裾片（４）を収容可能なポケット（５）が右前身頃（２）の右端縁から後身頃（３）、そして左前身頃（２）の左端縁にかけて設けられてなることを特徴とする釣り用上着。
【請求項２】
前記ポケット（５）の着用者側を構成する生地（５ａ）は、前記内裾片（４）と異なる生地である請求項１記載の釣り用上着。
【請求項３】
前記内裾片（４）は、前記ポケット（５）の着用者側を構成する生地（５ａ）よりも保温性の高い生地で構成されてなる請求項１記載の釣り用上着。
【請求項４】
前記内裾片（４）の裾部（４ａ）には、着用者の胴部（２０）に周回させた際の緊締具合を調節可能な緊締調節手段（６）が設けられてなる請求項１乃至３の何れかに記載の釣り用上着。
【発明の詳細な説明】
【０００１】
【発明の属する技術分野】
本発明は、釣り用上着に関し、詳しくは、着用者の上半身を覆う上着本体と、該上着本体の内側に延出した内裾片とを備えた釣り用上着に関する。
【０００２】
【従来の技術】
従来、この種の釣り用上着としては、図８に示すものが知られている。
即ち、同図に示すごとく、着用者の上半身を覆う上着本体３１と、該上着本体３１の内側表面に、周方向に沿って帯状の布片３２の上端部３２ａを縫着することにより、該内側表面（裏地）から延出するように形成された内裾片３２とを備えてなるものである。
【０００３】
係る構成からなる釣り用の上着は、内裾片３２を着用者の胴部に周回させて上着本体３１と着用者の胴部との隙間を閉塞することにより、裾側からの風の侵入を防止でき、風の強い釣り場においても優れた保温性を呈するという利点を有するものである。
【０００４】
【発明が解決しようとする課題】
しかしながら、釣り場の天候、気温等によっては、上着本体の内側への風通しを維持したい場合もあり、かかる場合には、内裾片が風通しを阻害するのみならず、内裾片が着用者の胴部にまとわりついて、着用感が損なわれるといった事態も発生していた。
また、着脱する際にも、着用者の胴部にまとわりついたり、内裾片が風に翻ったり、更には、釣り針等が引っ掛かるといった事態の発生も予測された。
【０００５】
即ち、上記従来の釣り用上着は、不要時において内裾片が邪魔になったり、着用感が損なわれたりするという問題点を有していた。
【０００６】
そこで、本発明は、上記従来の問題点に鑑みなされたもので、不要時に内裾片が邪魔にならず、しかも、着用感の良好な釣り用上着を提供することを課題とする。
【０００７】
【課題を解決するための手段】
上記課題を解決すべく、本発明に係る釣り用上着は、上半身を覆う上着本体と、該上着本体の内側に延出し且つ着用者の胴部に周回させて裾側からの風の侵入を防止できる帯状の内裾片とを備えてなり、しかも、前記上着本体の内側には、前記内裾片を収容可能なポケットが右前身頃の右端縁から後身頃、そして左前身頃の左端縁にかけて設けられてなることを特徴とする。
係る構成からなる釣り用上着は、内裾片をポケットに収容することにより、不要時において、胴部に内裾片がまとわりついたりすること等が防止される。
【０００８】
本発明において、前記ポケットの着用者側を構成する生地は、前記内裾片と異なる生地であるものが好ましい。
かかる構成を採用することにより、着用者の好みに応じて、内裾片をポケットから引き出したり収容したりすることができることから、釣り用上着の内側の同一部位において、着用者側（着用者の胴部側）に位置する生地を異なる生地に変えることができ、好みに応じて着用感を変えることができる。
【０００９】
また、本発明においては、前記内裾片が前記ポケットの着用者側を構成する生地よりも保温性の高い生地で構成されてなるものが好ましい。
通常、寒いときには内裾片をポケットから出した状態で使用することになるが、かかる構成を採用することにより、使用時には、着用者の胴部に保温性の高い内裾片が胴部側（着用者側）に位置することになり、風の侵入を防止するのみならず、胴部側に位置する生地の保温性によって防寒性に優れた上着となる。
一方で、暑いときは、内裾片をポケットに収容することで、風通しを維持できるのみならず、内裾片よりも保温性の少ない生地が胴部側に位置することになり、ある程度暑さを回避することができる。
ここで、保温性の高い生地としては、ポケットの着用者側を構成する生地よりも熱伝導性の低い繊維からなる生地や、内部で空気を蓄えてポケットの着用者側を構成する生地よりも熱を透過し難い生地等を使用することができる。
【００１０】
さらに、本発明においては、前記内裾片の裾部には、着用者の胴部に周回させた際の緊締具合を調節可能な緊締調節手段が設けられてなるものが好ましい。
かかる構成を採用することにより、内裾片を使用する際に、着用者の胴部に内裾片の裾部を十分に当接させて、上着本体と胴部との隙間を略十分に閉塞させることができ、風の侵入を十分に防止することができる。
しかも、ポケットに収容する際には、緊締具合を弛めてからポケットに収容することができ、ポケットの形状に応じて、内裾片を平面状に拡げたり折り畳んだりし易く、容易にポケットに収容することもできる。
【００１１】
【発明の実施の形態】
以下、本発明の実施の形態について、図面を参照しつつ説明する。
【００１２】
〈第一実施形態〉
図１は、第一実施形態の釣り用上着を示す正面図である。
【００１３】
第一実施形態の釣り用上着は、図１に示すように、着用者の上半身、即ち、胸部及び胴部２０を覆うことができる上着本体１を備え、該上着本体１は、左右一対の前身頃２と該前身頃２に縫着された後身頃３から主構成されてなる。
また、左右一対の前身頃２は、スライドファスナーや面ファスナーなどの開閉手段により前面の打合部２２において開閉自在とされてなり、適宜、外側表面（即ち、表地）にポケット２１等が縫着されてなる。
尚、各身頃の外側表面には、雨や海水等の侵入を防止すべく、防水性又は撥水性の生地が使用されている。
防水性の生地としては、例えば、基布にウレタン、ポリ塩化ビニル、エチレン酢酸ビニル共重合体の薄膜をラミネートしたものやこれらの樹脂を表面にコーティングしたもの等が使用される。
撥水性の生地としては、シリコン樹脂やフッ素樹脂等の撥水剤で繊維表面を被覆したものや、多孔質のウレタンフィルムをラミネートしたもの等が使用される。
【００１４】
また、内側表面（裏地）には、化学繊維のフィラメントからなる織物等を熱カレンダーにかけるシレー加工（カレンダー加工）、金属粉末（例えば、ステンレス、チタン、銅等の粉末）をスパッタリングするスパッタリング加工、蓄熱加工等の防風及び保温加工の施された生地が使用されている。
【００１５】
図２、図３は、開閉手段によって左右一対の前身頃２をそれぞれ左右に開いた状態、即ち、上着本体１の内側を示す正面図（図２においては便宜上一部破断を含む）である。さらに、図４は図２のＡ−Ａ線断面図、図５は、図３のＢ−Ｂ線断面図である。
図２、図３に示すように、上着本体１の内側下部には、上着本体１の裾部１ａと略平行に、帯状の内裾片４が、上着本体１の内側表面（裏地）から更に内方に延出するように設けられ（図３参照）、しかも、該内裾片４を収容可能なポケット５が設けられてなる（図２参照）。
【００１６】
前記内裾片４は、図３、図５に示すようなポケット５の外側に露出した出状態と、図２、図４に示すようなポケット５に収容された没状態を取ることが可能とされている。
【００１７】
図３に示すように、前記内裾片４は、上着本体１内側において幅方向の略全域（右前身頃２の右端縁から左前身頃２の左端縁まで）に及び、且つ、該内裾片４の長手方向が上着本体１の幅方向に沿うように内側表面に縫着されている。内裾片４における上着本体１に縫着される縫着部４ｂは、該内裾片４の上端縁部に沿って略全長に亘っており、該縫着部４ｂにおいて上着本体１の内側表面の生地（裏地）に縫着されている。
また、両側縁部及び縫着部４ｂと対向する下端縁部は未縫着とされており、上端縁部が固定端部、下端縁部が自由端部となっている。
尚、内裾片４の短手方向長は、着用時に上着本体１の裾から内裾片４が露出しない長さに設定されてなる。
【００１８】
前記内裾片４の長手方向の両端部には、互いに係合可能な面ファスナー８，８の一方がそれぞれ設けられ、該面ファスナー８，８の係合により、内裾片４を無端状に連結することができ、従って、着用者の胴部２０に内裾片４を周回させて無端状に連結し、該胴部２０に固定することができる。
【００１９】
また、内裾片４の裾部４ａ（自由端部）には、着用者の胴部２０に周回させた際の緊締具合を調節可能な緊締調節手段６が設けられている。
この緊締調節手段６についてより具体的に説明すると、先ず、該裾部４ａに沿って紐挿通孔９が形成され、該紐挿通孔９には全長に渡って、伸縮自在なゴム紐１０が挿通され、しかも、該ゴム紐１０は両端部９ａにおいて紐挿通孔９に固定されており、更に、該紐挿通孔９には、所望箇所に鳩目１１が設けられており、そして、該鳩目１１から前記ゴム紐１０がループ状に引き出されて、引き出し量がストッパー１３によって維持される構成である。
【００２０】
このストッパー１３としては種々の公知のものを使用できるが、第一実施形態においては、ゴム紐１０が通る孔（図示せず）を有し、その孔を通るゴム紐１０の所望部位に係合固着するタイプのもので、しかも、該ストッパー１３は、鳩目１１を挿通不能なサイズであり、ストッパー１３が紐挿通孔９内に侵入することが防止され、引き出したゴム紐１０の戻りを防止できるものである。
【００２１】
尚、上着本体１の裾部１ａにも同様に構成された緊締調節手段１４が設けられている。
【００２２】
第一実施形態において、内裾片４としては、防風加工された生地、例えば、化学繊維のフィラメントからなる織物をシレー加工したもの等が使用される。
【００２３】
前記ポケット５は、該ポケット５の下端縁部が上着本体１の裾部１ａに沿うように上着本体１の内側に設けられている。
このポケット５は、内裾片４と略同形、つまり帯状で略矩形の生地５ａが、両側縁部及び下端縁部を上着本体１に縫着されると共に、上端側を未縫着とすることにより、上端側に開口部５ｂが形成されて構成されている。
【００２４】
この開口部５ｂは、開閉手段が備えられ、適宜開口状態及び閉塞状態を取ることができる構成である。
例えば、ポケット５の着用者側を構成する生地５ａ（ポケット５を構成する生地であって、着用者側に位置する生地）の裏面側、即ち、ポケット５の内部側開口縁近傍に雄型面ファスナー１５を縫着し、上着本体１の内側表面の前記雄型面ファスナー１５と対向する部位（ポケット５の内部側の部位となる）に雌型面ファスナー１６を縫着し、これらの面ファスナー１５，１６の係合、離脱を利用して開口状態と閉塞状態を取ることができる。
しかも、前記内裾片４をポケット５に収容した際に、内裾片４の前記雄型面ファスナー１５と対向する部位にも雌型面ファスナー１６が縫着されており、これらの面ファスナー１５，１６の係合及び離脱により、内裾片４を収容した際でも開口部５ｂを開口状態と閉塞状態とを取ることができる構成である。
【００２５】
尚、ポケット５の着用者側を構成する生地５ａは、スパッタリング加工されてなり、保温性に優れると共に、前記内裾片４よりも滑りやすく、しかも、肌等に対して粘着性の少ない生地である。
【００２６】
第一実施形態の釣り用上着は、上記の如く構成されてなるが、風の強い日や寒い日等において、内裾片４を使用して着用する場合、先ず、袖を通した後、打合部２２を閉じる前に内裾片４を胴部２０に周回させ、その状態で両端部の面ファスナー８，８を係合して内裾片４を胴部２０に固定する。
次いで、内裾片４の裾部４ａに設けられた緊締調節手段６を用いて緊締することにより、胴部２０回りに沿って内裾片４の裾部４ａを当接させる。
具体的には、内裾片４の裾部４ａに設けられた鳩目１１からループ状に引き出されたゴム紐１０を、所望の緊締具合になるまで更に引き出し、その引き出し量をストッパー１３によって維持させる。この操作によって、図６に示すように、内裾片４の裾部４ａは収縮して上着本体１の内側表面から内方に突出し、着用者の胴部２０（他の衣服を着用している場合は、該衣服を含めた最も外側の部分を意味する）に当接することになる。
【００２７】
最後に、前身頃２の打合部２２を開閉手段によって閉塞する。
【００２８】
このように使用することで、上着本体１と着用者の胴部２０との隙間１８は、内裾片４に略十分に閉塞されることになり、該隙間１８（上着本体１の内側）への裾側からの風の侵入が防止される。
【００２９】
一方、内裾片４が不要な場合には、緊締調節手段６によって緊締状態を弛めることにより、内裾片４を十分に拡張させた後、ポケット５に収容して着用する。
このように使用することで、内裾片４が邪魔になる虞も減少し、着用感も良好になる。また、胴部２０に当接し易い生地（ポケット５の着用者側を構成する生地５ａ）が、スパッタリング加工されてなるので、滑りが良好で該生地が肌等にまとわりつき難く、より一層着用感が向上する。
即ち、該内裾片４よりも滑りの良好な生地で内裾片４を覆うことになり、着用感がより一層向上する。
【００３０】
また、第一実施形態の釣り用上着において、内裾片４の短手方向長は、着用時に上着本体１の裾から内裾片４が露出しない長さに設定されてなるので、これにより、着用時に内裾片４が上着本体１の裾部１ａから露出せず、内裾片４が風に翻ったり、釣り針が内裾片４に引っ掛かったりする虞も防止され、要時においても、上着の外側で内裾片４が邪魔になる虞も殆どない。
【００３１】
尚、第一実施形態の釣り用上着は、上記の如く構成されたが、本発明に係る釣り用上着は、上記構成に限定されず、適宜設計変更可能である。
〈第二実施形態〉
例えば、第一実施形態においては、内裾片４は、上着本体１の内側表面に直接縫着されて設けられたが、図７（ａ）に示すように、ポケット５の着用者側を構成する生地５ａの上端部に連結されてなるものであっても本発明の意図する範囲内である。
係る構成からなる釣り用上着において、内裾片４が不要となる場合、図７（ｂ）に示すように、内裾片４をポケット５の内部側に屈曲させて収容することができ、第一実施形態と同様の利点を有する。
【００３２】
【発明の効果】
以上のように、本発明に係る釣り用上着は、内裾片をポケットに収容することにより、内裾片が胴部にまとわりつく虞等が防止されることから、不要時に内裾片が邪魔になる虞も改善され、しかも、着用感に優れたものとなる。
【図面の簡単な説明】
【図１】第一実施形態を示す正面図。
【図２】同実施形態の前身頃２を左右に開いた状態を示す一部破断を含む正面図。
【図３】同実施形態の前身頃２を左右に開いた状態を示す正面図。
【図４】図２のＡ−Ａ線概略断面図。
【図５】図３のＢ−Ｂ線概略断面図。
【図６】同実施形態の使用状態を示す概略断面図。
【図７】第二実施形態を示す概略断面図。
【図８】従来の釣り用上着の前身頃２を開いた状態を示す正面図。
【符号の説明】
１・・・上着本体、４・・・内裾片、４ａ・・・内裾片の裾部、５・・・ポケット、２０・・・着用者の胴部、６・・・緊締調節手段
【図１】
0004355429.tif 000002
【図２】
0004355429.tif 000003
【図３】
0004355429.tif 000004
【図４】
0004355429.tif 000005
【図５】
0004355429.tif 000006
【図６】
0004355429.tif 000007
【図７】
0004355429.tif 000008
【図８】
0004355429.tif 000009